(57)【特許請求の範囲】
【請求項１】
表面化粧部が設けられた略平板方形状をなす擁壁ユニット部と、該擁壁ユニット部の裏面より略直角方向へ向かいリング状に張り出すフック部と、を備えた擁壁形成体と、
前記フック部に掛合する掛合溝を基端部外周面に設けた略円錐台形状の掛合部と、該掛合部の基端部が長手方向一端側で一体的に結合された基杆と、を備えた掛合杆と、
を有することを特徴とする分割型擁壁部材。
【請求項２】
表面化粧部が設けられた略平板方形状をなす擁壁ユニット部と、該擁壁ユニット部の裏面より略直角方向へ向かいリング状に張り出すフック部と、を備えた擁壁形成体と、
前記フック部に掛合する掛合溝を基端部外周面に設けた略円錐台形状の掛合部と、該掛合部の基端部が長手方向一端側で一体的に結合された基杆と、を備えた掛合杆と、
を有し、
前記表面化粧部を下側に、かつフック部を略垂直方向上方に向けて置かれた擁壁形成体の前記フック部に前記掛合杆の掛合部を挿入し、フック部を掛合溝に嵌め込んで擁壁形成体と掛合杆とを連結すると共に、掛合杆の先端側を側方に押して該掛合杆を寝かせ、前記擁壁形成体を垂直方向へ立てて結合した、ことを特徴とする分割型擁壁部材。
【請求項３】
表面化粧部が設けられた略平板方形状をなす擁壁ユニット部と、該擁壁ユニット部の裏面より略直角方向へ向かいリング状に張り出すフック部と、を備えた擁壁形成体と、
前記フック部に掛合する掛合溝を基端部外周面に設けた略円錐台形状の掛合部と、該掛合部の基端部が長手方向一端側で一体的に結合された基杆と、を備えた掛合杆と、
を有し、
掛合杆の掛合部を垂直方向へ向けた状態で掛合杆を寝かせて配置し、前記擁壁形成体を持ち上げると共に、フック部を前記掛合部へ被嵌しつつ掛合溝へ掛合させ、擁壁形成体を垂直方向へ立てつつ結合した、
ことを特徴とする分割型擁壁部材。
【発明の詳細な説明】
【０００１】
【発明の属する技術分野】
本発明は植栽式の補強壁を形成する部材となる分割型擁壁部材に関するものである。
【０００２】
【従来の技術】
近年、地球温暖化や地球環境の改善に鑑み、各種擁壁、土壁の表面に草木等の植栽を施した植栽式補強擁壁の施工が提案されている。
【０００３】
しかして、従来この植栽式補強擁壁の施工は面倒な作業となっており、大型のコンクリート製品からなる略方形枠体状の擁壁用部材を工場より現場に運搬し、かつ重機等で微調整しながら前記大型のコンクリート製品からなる略方形枠体状擁壁用部材の敷設作業を行うものであった。
【０００４】
【発明が解決しようとする課題】
かくして、本発明は前記従来の課題に対処すべく創案されたものであり、コンクリート製品の擁壁用部材が分割型で構成されているため、工場から現場までの運搬においても嵩張らず、大量に運搬することができ、しかも施工に際しても、簡単に組み立てられ瞬時に微調整を行って施工できる分割型擁壁部材を提供することを目的とするものである。
【０００５】
【課題を解決するための手段】
本発明は、
表面化粧部が設けられた略平板方形状をなす擁壁ユニット部と、該擁壁ユニット部の裏面より略直角方向へ向かいリング状に張り出すフック部と、を備えた擁壁形成体と、
前記フック部に掛合する掛合溝を基端部外周面に設けた略円錐台形状の掛合部と、該掛合部の基端部が長手方向一端側で一体的に結合された基杆と、を備えた掛合杆と、
を有することを特徴とし、
または、
表面化粧部が設けられた略平板方形状をなす擁壁ユニット部と、該擁壁ユニット部の裏面より略直角方向へ向かいリング状に張り出すフック部と、を備えた擁壁形成体と、
前記フック部に掛合する掛合溝を基端部外周面に設けた略円錐台形状の掛合部と、該掛合部の基端部が長手方向一端側で一体的に結合された基杆と、を備えた掛合杆と、
を有し、
前記表面化粧部を下側に、かつフック部を略垂直方向上方に向けて置かれた擁壁形成体の前記フック部に前記掛合杆の掛合部を挿入し、フック部を掛合溝に嵌め込んで擁壁形成体と掛合杆とを連結すると共に、掛合杆の先端側を側方に押して該掛合杆を寝かせ、前記擁壁形成体を垂直方向へ立てた、ことを特徴とし、
または、
表面化粧部が設けられた略平板方形状をなす擁壁ユニット部と、該擁壁ユニット部の裏面より略直角方向へ向かいリング状に張り出すフック部と、を備えた擁壁形成体と、
前記フック部に掛合する掛合溝を基端部外周面に設けた略円錐台形状の掛合部と、該掛合部の基端部が長手方向一端側で一体的に結合された基杆と、を備えた掛合杆と、
を有し、
掛合杆の掛合部を垂直方向へ向けた状態で掛合杆を寝かせて配置し、前記擁壁形成体を持ち上げると共に、フック部を前記掛合部へ被嵌しつつ掛合溝へ掛合させ、擁壁形成体を垂直方向へ立てつつ結合した、
ことを特徴とするものである。
【０００６】
【発明の実施の形態】
以下、図に基づいて本発明を説明する。
【０００７】
図において符号１は分割型擁壁部材を示す。
【０００８】
該分割型擁壁部材１は擁壁形成体２と掛合杆３とを有して構成される。
【０００９】
ここで、擁壁形成体２は、その大部分がコンクリート部材により形成され、約５０キログラム程度の重量を有し、掛合杆３についてもコンクリート部材で形成され、約２０キログラム程度の重量を有し、全体としては約７０キログラム以上の重量を有するものとなっている。
【００１０】
ここで、擁壁形成体２は擁壁ユニット部４とフック部５とを備えており、擁壁ユニット部４は略長方形状をなし、その表面側には立体的な装飾の石目を表した表面化粧部６が形成されている。
【００１１】
また、その裏面側には略直角方向へ向かいリング状に張り出すフック部５が鋼棒等を折曲して取り付けられ、擁壁ユニット部４の裏面に強固に固着されている。
【００１２】
次に、掛合杆３は略角棒状をなす基杆７と、その一端側で基杆７長手方向と略直交する方向に突設して一体成形された略円錐台形状の掛合部８とを有して構成されている。
【００１３】
そして、掛合部８の基端側、すなわち基杆７との結合側には外周面に沿って掛合溝９が設けられている。
【００１４】
まず、これら擁壁形成体２と掛合杆３とはたとえば工場等で大量生産され、各々擁壁形成体２と掛合杆３とに分離されて工場より現場へ運搬される。
【００１５】
従って、たとえば運搬用トラックの荷台上ではそのスペースを最大限に利用して擁壁形成体２と掛合杆３を載積することができる。そして大量数の分割型擁壁部材を分割して嵩張ることなく効率よく運搬することができる。
【００１６】
運搬された施工現場では別々にそれら擁壁形成体２と掛合杆３を降ろし、施工現場の所定箇所に載置しておく。
【００１７】
ついで、施工現場において、まず擁壁形成体２と掛合杆３を連結するのであるが、その連結方法の一方法としては、表面化粧部を下側に、かつフック部を略垂直方向上方に向けて置かれた擁壁形成体２の前記フック部５に前記掛合杆３の掛合部８を挿入し、フック部５を掛合溝９に嵌め込み一気に連結すると共に、前記掛合杆３の先端側を側方へ押し、連結した擁壁形成体２の一端側端面を支点として回転させ、前記掛合杆８を寝かせた状態とし、前記擁壁形成体２を垂直方向へ立たせた状態とする。この連結方法であれば、作業者が単独で、しかも最小限の労力で擁壁形成体２と掛合杆３とを連結し、しかも擁壁部材としての正常の設置姿勢にしうる（図７，図８，図９参照）。
【００１８】
また、他の連結方法については図１０、図１１に示す。
【００１９】
図から理解されるように、まず掛合杆３の掛合部８を垂直方向へ向けた状態で前記掛合杆３を寝かせて配置しておく。
【００２０】
次に約５０キログラムほどある重量の擁壁形成体２を持ち上げる。そして、擁壁形成体２の裏面から突設されたフック部５内に掛合杆３の掛合部８が挿入するように静かに擁壁形成体２をおろす。
【００２１】
その際、図１０から理解されるように、掛合部８の基端側に設けられた掛合溝９にフック部５が掛合するように擁壁形成体２を傾斜させて下ろしていくことが重要である。
【００２２】
すると、前記フック部５が掛合溝８内に掛合し、かつ擁壁形成体２の裏面下端部が掛合杆３の長手方向端部に当接し、もって擁壁形成体２が垂直方向へ立設した状態で掛合杆３と結合する。
【００２３】
しかして、このように連結した分割型擁壁部材を現場で複数作製し、それら分割型擁壁部材を運搬機材により所定の施工箇所まで運搬する。
【００２４】
施工箇所ではまず第１段目の擁壁面が形成される。すなわち、前記結合した分割型擁壁部材を横方向へ連結し、ついで表面化粧部６の裏側へ盛土していく。
【００２５】
第１段目が完成したら、該第１段目の盛土部１０へ第２段目の擁壁面を形成すべく、分割型擁壁部材を設置し、横方向へ連結していく。なお、この際、第１段目に設置された分割型擁壁部材より奥側に退いた状態、すなわち、表面側に盛土部１０が存する状態で第２段目の擁壁面を形成していく。
【００２６】
そして、図１３，図１４から理解されるように、盛土部１０には花や草木等を植栽する。
【００２７】
しかして、第３段目、第４段目も順次同じように形成していくのである。
【００２８】
なお、前記盛土部１０には、土及び肥料をユニットにした植栽用製品を敷設しても構わない。そしてこの土及び肥料の敷設の厚みは分割型擁壁部材の高さの１０分の１程度でも構わない。
【００２９】
そして、例えばここで敷設した土及び肥料の上には所定草木の種子が蒔かれる。該種子の蒔き方としては盛土部１０全体にわたって散点状に蒔くのが好ましい。
【００３０】
しかも、季節に応じ、場所に応じ、臨機応変に蒔くべき種子を選択することが好ましい。
【００３１】
【発明の効果】
かくして本発明は以上の構成よりなる。
【００３２】
そして、本発明によれば、コンクリート製品の擁壁用部材が分割型で構成されているため、工場から施工現場までの運搬においても嵩張らず、大量に運搬することができ、しかも施工に際しても、簡単に組み立てられ瞬時に微調整を行って擁壁の施工ができるとの優れた効果を奏する。
【図面の簡単な説明】
【図１】    本発明による擁壁形成体の構成を説明する側面図である。
【図２】    本発明による擁壁形成体の構成を説明する正面図である。
【図３】    本発明による擁壁形成体の構成を説明する平面図である。
【図４】    本発明による掛合杆の構成を説明する平面図である。
【図５】    本発明による掛合杆の構成を説明する正面図である。
【図６】    本発明による掛合杆の構成を説明する側面図である。
【図７】    分割型擁壁部材の結合状態を説明する説明図（その１）である。
【図８】    分割型擁壁部材の結合状態を説明する説明図（その２）である。
【図９】    分割型擁壁部材の結合状態を説明する説明図（その３）である。
【図１０】  分割型擁壁部材の他の結合状態を説明する説明図（その１）である。
【図１１】  分割型擁壁部材の他の結合状態を説明する説明図（その２）である。
【図１２】  結合した分割型擁壁部材の構成を説明する構成説明図である。
【図１３】  本発明によって作製された擁壁の構成説明図（その１）である。
【図１４】  本発明によって作製された擁壁の構成説明図（その２）である。
【符号の説明】
１    分割型擁壁部材
２    擁壁形成体
３    掛合杆
４    擁壁ユニット
５    フック部
６    表面化粧部
７    基杆
８    掛合部
９    掛合溝
１０    盛土部
【図１】
0003783158.tif 000002
【図２】
0003783158.tif 000003
【図３】
0003783158.tif 000004
【図４】
0003783158.tif 000005
【図５】
0003783158.tif 000006
【図６】
0003783158.tif 000007
【図７】
0003783158.tif 000008
【図８】
0003783158.tif 000009
【図９】
0003783158.tif 000010
【図１０】
0003783158.tif 000011
【図１１】
0003783158.tif 000012
【図１２】
0003783158.tif 000013
【図１３】
0003783158.tif 000014
【図１４】
0003783158.tif 000015